(57)【要約】本発明は、例えばマルチメディアプレゼンテーションを用いた広告のために使用することのできるポータブルダイナミック表示デバイスに関する。本発明のデバイスは、人体に取付けて、ビデオ画像を表示し、オーディオトラックを再生しながら、場所を移動して運ぶように構成することができる。
2005521087.tif 000002
【特許請求の範囲】
【請求項１】
支持部材の上に配置された、画像を表示する能力をもつ表示デバイスと、
前記表示デバイスに電気的に接続され、前記画像を生成して、前記表示デバイスに伝送する媒体生成デバイスと、
前記支持部材を人体に装着するための取付け用手段と、
を含んでなるポータブル表示デバイス。
【請求項２】
ビデオ画像を表示するビデオ画像表示装置であって、人体に取付けることのできる支持構造上に配置されたビデオ画像表示装置と、
前記ビデオ画像を生成するためのデータを含む少なくとも１つのビデオプログラムを記憶するための記憶デバイスと、
前記ビデオ画像表示装置および前記記憶デバイスに接続され、前記少なくとも１つのビデオプログラムを受信して、前記画像を生成し、かつ前記ビデオ画像表示装置上に前記ビデオ画像を表示するために、前記ビデオ画像表示装置に信号を送信するビデオ駆動機構と、
を含んでなるポータブル表示システム。
【請求項３】
前記支持構造は、
前記人体上にフレームを固定するためのストラップを有する該フレームと、
前記フレームに取り付けられたベース支持部材と、
一方の端部にて前記ベース支持部材に、もう一方の端部にて前記ビデオ画像表示装置に取り付けられた細長い支持部材と、
を備える請求項２に記載のポータブル表示システム。
【請求項４】
前記支持構造が、少なくとも前記人体の高さで前記ビデオ画像表示装置を支持するように配置される請求項２に記載のポータブル表示システム。
【請求項５】
実質的に本明細書に記載されているとおりのポータブル表示デバイス。
【発明の詳細な説明】
【技術分野】
【０００１】
本発明は、ポータブルダイナミック表示デバイスに関する。本発明のデバイスは、例えば、デジタル画像ファイル、デジタルビデオファイルおよび／またはデジタルオーディオファイルの視聴覚プレゼンテーションを用いた広告用デバイスとして使用可能である。
【背景技術】
【０００２】
今日、さまざまな広告方法が豊富に存在している。より一般的な広告方法の多くは、数多くの人が集まる場所に掲示される広告看板および標示板を含む。これらの広告方法は有用であるものの、大きな空間を必要とするという点で著しい欠点を有する。従って、ある領域内でその領域が飽和状態となる前に設置できる標示板および広告看板の量には制限がある。その上、標示板および広告看板は往々にして、古い広告を新しい広告と交換したいと考えた場合に広告を変更するのに著しい努力を必要とする。
【０００３】
その他の比較的頻度の低い広告方法としては、人の多い領域で人間のオペレータが担持する装着型（wearable）標示板がある。この方法は、通常の標示板および広告看板に関与する空間の問題を一部解決するものの、装着型標示板は往々にして、装着者にとってかなり不快なものである。さらに、装着型標示板はなお静置タイプであり、新しい広告が望まれる場合には交換の必要がある。
【０００４】
近年、技術が進歩し小型化技術が改善されるに従って、いくつかのタイプのポータブル電子デバイスが利用可能になってきた。このような種類のデバイスとしては、携帯電話から、人体に取り付けることのできるパーソナルコンピュータに至るまで、の一定範囲のデバイスを含む。これらの種類のデバイスの例は、例えばKuenster et al.に対する米国特許第６，１４０，９８１号およびCarroll et al.に対する米国特許第６，０５７，９６６号の中に見られる。
【０００５】
また、衣服上のビデオ画像を含めた試みも存在してきた、例えばStephan Fitchに対する米国特許第５，９１２，６５３号参照。このデバイスは、人体上において変更可能な画像を許容するものの、衣服の引裂を防ぐべく表示装置の重量は軽減されていなくてはならないことから、大規模広告には有用ではない。
【０００６】
先行技術からわかるように、大規模広告および視聴覚プレゼンテーションのために使用できるポータブルダイナミック表示デバイスに対するニーズが存在している。
【特許文献１】米国特許第６，１４０，９８１号明細書
【特許文献２】米国特許第６，０５７，９６６号明細書
【特許文献３】米国特許第５，９１２，６５３号明細書
【発明の開示】
【０００７】
【発明を実施するための最良の形態】
【０００８】
１つの態様においては、図１に示すように、本発明は、ポータブルダイナミック表示デバイス１０に関する。該ポータブルダイナミック表示デバイス１０は、上にベース支持手段３０が取りつけられている総合支持フレーム２０と、キャリングバッグ４０からなる。ベース支持手段３０に対して片端にて中空チューブ５０が取り付けられている。中空チューブ５０のもう一方の端部では、標示デバイス７０を中空チューブ５０に取り付けさせるのに用いられる連結用手段６０が取付けられている。
【０００９】
キャリングバッグ４０は、ケーブル手段８０により表示デバイス７０に接続されている媒体生成手段（後述参照）を収納しており、これにより媒体生成デバイスは生成された画像を表示デバイス７０に送信でき、この表示デバイスが次にこの画像を示すことができる。
【００１０】
図２を見れば分かるように、総合支持フレーム２０は、上部バー９４および下部バー９６により、合わせて保持されている２本の側方バー９０および９２を含む。総合支持フレーム２０はまた、人体に対し総合支持フレーム２０を締めつけるのに使用できるストラップ１００および１０２も有している。
【００１１】
ここで図１を一見すると、総合支持フレーム２０が人体の自然な湾曲にフィットするように適合された湾曲を有することができる、ということが分かる。これにより、デバイスを持ち運ぶ場合により大きな快適性が得られる。
【００１２】
バックパック（back pack）４０は、例えば硬質プラスチックシェルで作られて、バッテリー、媒体生成手段（例えば、ＤＶＤプレイヤーまたはポータブルコンピュータ）そしてスピーカを収納することができる。バックパック４０の中味の一例は、図３に見ることができる。媒体生成手段１１０は、記憶手段上に記憶できるビデオプログラムに基づいて画像を生成する。この記憶手段は、媒体生成手段１１０によって読取り可能である。
【００１３】
媒体生成手段１１０は、表示デバイス７０およびスピーカ１２０に接続され、媒体生成手段１１０が、表示デバイス７０上で記憶デバイス（例えば、ＤＶＤディスクまたはＭＰＥＧ−２ファイル）からのビデオプログラムを再生し、スピーカ１２０を使ってサウンドを再生できるようになっている。
【００１４】
最後に、バックパック４０はまた、バッテリー１３０またはスピーカ１２０と表示デバイス７０に給電するその他の電源をも収納している。媒体生成デバイス１１０は、その独自の内部電源を有することもできるし、またはバッテリー１３０により給電されてもよい。
【００１５】
本発明のもう１つの実施形態においては、（図４参照）、表示デバイス７０および中空チューブ５０は、テレスコープ式ポール１４０とプロジェクタ１５０によって置換してもよい。この実施形態においては、バックパック４０内に設けられた媒体生成手段は、視聴者が視聴するために画像を投映するプロジェクタ１５０を使用することになる。プロジェクタ１５０は、オペレータ１６０がプロジェクタ１５０を持ち運ぶか、またはテレスコープ式ポール１４０を介して地面にプロジェクタ１５０を支持できるように、該テレスコープ式ポール１４０上に取り付けることができる。
【００１６】
図５は、プロジェクタ１５０が使用される場合のバックパック４０の中味を示す図である。この実施形態において、バックパック４０は、ＤＶＤプレイヤーまたはポータブルコンピュータといったような媒体生成手段１７０を収納することができる。媒体生成手段１７０は、例えば、ＤＶＤディスクまたはビデオファイルといったような記憶手段上に記憶されたビデオプログラムに基づいて画像を生成する。媒体生成手段１７０は、それが生成する前記画像がプロジェクタ１５０によって投映されるように、このプロジェクタ１５０に接続されている。
【００１７】
付加的には、媒体生成手段１７０は、この媒体生成手段１７０によって生成されたオーディオ成分がスピーカによって再生できるように、一対のスピーカ１８０に接続されている。
【００１８】
バックパック４０はまた、プロジェクタ１５０およびスピーカ１８０に電力を供給する一対のバッテリー１９０も収納し得る。媒体生成手段１７０は個別の電源を有していてもよいし、またはバッテリー１９０に接続することもできる。バックパック４０はまた、ＡＣ駆動式プロジェクタが使用される場合に、ＤＣ−ＡＣコンバータ２００を含んでもよい。
【００１９】
別の態様では、本発明は、以下のものを備えた家庭外広告視聴覚プレゼンテーション方法、すなわち、
ａ）  ａ．移動式に視聴覚コンテンツを提示する能力と、
ｂ．プレゼンテーションの時間を目標（target）とする能力と、
ｃ．コンテンツが提示される地理的地域および現場を目標とする能力と、を提供するための移動型技術の使用と、
ｂ）ｉ）プレゼンテーションの時間または場所を迅速に変更する能力と、
ii）視聴者と口頭でまたは合図で対話する能力と、
iii ）通行人に対して直接付帯資料を配布および手渡す能力と、
を提供する視聴覚機器を装着している人間と、
ｃ）１．ＭＰＥＧ−２エンコーディングフォーマットでの、既存の放送品質およびマルチメディアコンテンツの複製と、
２．市販のＤＶＤプレイヤーで読取り可能な任意のＤＶＤからの再生と、
３．市販のポータブルコンピュータ上で実行できる任意のソフトウェアアプリケーションからの再生と、
４．テレビまたはコンピュータスクリーンに合った任意の視覚的コンテンツの表示と、
５．テレビまたはコンピュータスクリーンのための任意の視覚的コンテンツの投映と、
を可能にするための市販のものとして入手可能な機器の使用と、
を含む。
【００２０】
もう１つの実施形態では、本発明は、以下のものを備える装着可能な移動型技術、すなわち、
ａ）ｉ）バックパックストラップを隠すように設計された長いトレンチコートと、
ii）丸形帽と、
iii ）トレンチコートの下に着用すべきズボンと、
iv）半透明のマスクおよび手袋と
を含む、特定のイベントまたは製品ブランドへの一体化を容易にする、各々の特定の活動にカスタマイズ可能なコスチュームと、
ｂ）ｉ）適切なサイズの直射日光で見ることのできるＬＣＤ表示装置、
ii）防水保護のための海洋対応（ＮＥＭＡ４Ｘ）密封ケース、
iii ）ビデオ入力互換性：標準ＶＧＡ／ＳＶＧＡ／ＸＧＡ、複合ビデオ、Ｓ−ビデオ、
iv）解像度：好ましくは８００×６００画素、最高１２８０×１０２４画素、
ｖ）ビデオ調整用スクリーン上の表示メニュー：位置、サイズ、輝度、コントラストなど、
といった仕様をもつ逆Ｔ字形アルミニウム構造の上面に置かれ、頭上に位置するビデオモニターと、
ｃ）硬質プラスチックシェルで作られ、
ｉ）アルミニウムチューブで作られた逆Ｔ字形構造と、
ii）水平チューブの両端部において腰の各部に設けられた２つのスピーカ（例えば、１０ワット）および低電圧ＤＣオーディオアンプ（例えば、１０ワット）と、
iii ）できるかぎり軽量の１つまたは複数のバッテリーおよび低電圧ＤＣ調節型電源と、
iv）共に外部オーディオおよびビデオ出力ポートを有する、商用タイプのポータブルＤＶＤプレイヤーまたはポータブルWindows互換のコンピュータと、
を収納するモニタセットアップ用バックパックと、
ｄ）ｉ）ＬＣＤプロジェクタ
ii）非常に軽量
iii ）固有解像度：トゥルーＸＧＡ１０２４×７６８以上
iv）データ互換性：全ての標準ＶＥＳＡモード、ＶＧＡ、ＳＶＧＡ、ＸＧＡおよびＳＸＧＡ８５Ｈｚ
ｖ）ビデオ互換性：フルＮＴＳＣ（Ｍ４．４３）、ＰＡＬ（ＢＧＨＩ，Ｍ，Ｎ）、ＳＥＣＡＭ（Ｍ）、ＨＤＴＶ（７２０ｐおよび１０８０ｉ  ＲＧＢＨＶ）
という仕様をもつ、異なる高さおよび異なる位置で人により保持され得るテレスコープ式ポール上に立つビデオプロジェクタと、
ｅ）ｉ）水平位置でバックパックの底面に取り付けられた軽量チューブと、
ii）低電圧ＶＤＣオーディオアンプおよび、腰の両サイドに設けられた２つのスピーカと、
iii ）可能なかぎり軽量の１つまたは複数のバッテリーおよびＤＣ−ＡＣ電気コンバータと、
iv）共に外部オーディオおよびビデオ出力ポートおよび独自のバッテリーパックを必要とする商用タイプのポータブルＤＶＤプレイヤーまたはポータブルWindows互換コンピュータと、
を収納する硬質プラスチックシェルで作られたプロジェクタセットアップ用のバックパックと、
を含むものでありうる。
【００２１】
本発明をいくつかの実施形態に関して記述してきたが、当業者には、言及されていないいくつかの修正および変更が存在することは明白であろう。従って、以上の記述は単に例示を目的とするためのものであり、本発明の範囲を制限するように意図されたものではない。
【図面の簡単な説明】
【００２２】
【図１】本発明によるポータブルダイナミック表示デバイスの一実施形態の側面図である。
【図２】図１に示す本発明の実施形態に従った支持構造の正面図である。
【図３】図１の実施形態のバックパックの内部の図である。
【図４】本発明の第２の実施形態の図である。
【図５】図４の実施形態のバックパックの内部の図である。
【図６】図１に示す本発明の実施形態の図である。
【図７】表示デバイスなしで示された、図１に示す実施形態による本発明の斜視図である。
【図８】表示デバイスなしで示された、図４に示す実施形態による本発明の斜視図である。
【図１】
2005521087.tif 000003
【図２】
2005521087.tif 000004
【図３】
2005521087.tif 000005
【図４】
2005521087.tif 000006
【図５】
2005521087.tif 000007
【図６】
2005521087.tif 000008
【図７】
2005521087.tif 000009
【図８】
2005521087.tif 000010
【手続補正書】
【提出日】平成17年3月10日(2005.3.10)
【手続補正１】
【補正対象書類名】特許請求の範囲
【補正対象項目名】全文
【補正方法】変更
【補正の内容】
【特許請求の範囲】
【請求項１】
ビデオ画像を表示するビデオ画像表示装置であって、人体に取付けることができる支持構造上に配置されたビデオ画像表示装置（７０，１５０）と、
前記ビデオ画像を生成するためのデータを含む少なくとも１つのビデオプログラムを記憶するための記憶デバイスと、
前記ビデオ画像表示装置および前記記憶デバイスに接続され、前記少なくとも１つのビデオプログラムを受信し、前記画像を生成し、かつ前記ビデオ画像表示装置上に前記ビデオ画像を表示するために、前記ビデオ画像表示装置に信号を送信するビデオ駆動機構（１１０）と、
を含んでなるポータブル表示システム（１０）において、前記支持構造が前記人体の背中に取付けることができ、かつ
前記人体上にフレームを固定するためのストラップ（１００，１０２）を有する総合支持フレーム（２０）と、
前記フレームに取付けられたベース支持部材（３０）と、
を含んでなること、および
細長い支持部材（５０）が片端で前記ベース支持部材（３０）に、またもう１つの端部で前記ビデオ画像表示装置（７０）に取り付けられていることを特徴とするポータブル表示システム。
【請求項２】
前記支持構造が、少なくとも前記人体の身長の高さで前記ビデオ画像表示装置（７０）を支持するように配置される請求項１に記載のポータブル式表示システム（１０）。
【請求項３】
前記総合支持フレーム（２０）上にキャリングバッグ（４０）が取付けられる請求項２に記載のポータブル式表示システム（１０）。
【手続補正２】
【補正対象書類名】明細書
【補正対象項目名】０００８
【補正方法】変更
【補正の内容】
【０００８】
１つの態様においては、図１に示すように、本発明は、ポータブルダイナミック表示デバイス１０に関する。該ポータブルダイナミック表示デバイス１０は、上にベース支持手段３０が取りつけられている総合支持フレーム２０と、キャリングバッグ４０からなる。ベース支持手段３０に対して片端にて中空チューブ５０が取り付けられている。中空チューブ５０のもう一方の端部では、表示デバイス７０を中空チューブ５０に取り付けさせるのに用いられる連結用手段６０が取付けられている。
【手続補正３】
【補正対象書類名】明細書
【補正対象項目名】０００９
【補正方法】変更
【補正の内容】
【０００９】
キャリングバッグ（図３および図５の「バックパック」）４０は、ケーブル手段８０により表示デバイス７０に接続されている媒体生成手段（後述参照）を収納しており、これにより媒体生成デバイスは生成された画像を表示デバイス７０に送信でき、この表示デバイスが次にこの画像を示すことができる。
【手続補正４】
【補正対象書類名】明細書
【補正対象項目名】００１０
【補正方法】変更
【補正の内容】
【００１０】
図２を見れば分かるように、総合支持フレーム２０は、人体に対し総合支持フレーム２０を締めつけるのに使用できるストラップ１００および１０２も有している。
【国際調査報告】
2005521087.tif 000011
2005521087.tif 000012